(57)【要約】【課題】便宜上椅子の背もたれに直に上着を掛けると背もたれと上着の形状の違いにより型崩れしたり、椅子に座った人の背に襟が押しつぶされ変形してしまいまう上、背もたれに掛けた上着は簡単にずれて裾や袖が椅子のキャスターに踏まれたり、床に落ちたりする恐れがある為、背もたれに上着を状態良く掛けられる構造とデザイン的に優れた形態を持つ椅子を考案する。【解決手段】平常時は椅子の背もたれ背面のパネル（１）の窪み部（２）に左右一対となって埋め込むことができ、上着を掛ける際にはアームつまみ（６）を摘んで椅子の背もたれ背面のパネルから手動により引き出し、アーム軸（３）を支点として左右に開くことによってハンガーとして使用できるハンガーアーム（４）を設けた椅子を考案し、椅子に上着を状態良く掛けられるようにした。【選択図】　図３
0003097620.tif 000002
【実用新案登録請求の範囲】
【請求項１】
平常時背もたれ背面のパネル（１）の窪み部（２）に埋め込まれ、上着を掛ける場合に窪み部（２）から手動により引き出しアーム軸（３）を支点として開くことにより、上着などの衣服を状態良く掛けられる左右一対のハンガーアーム（４）を設けた椅子。
【考案の詳細な説明】
【０００１】
【考案の属する技術分野】
この考案は、上着などの衣服を状態良く掛けられるハンガーを設けた椅子に関するものである。
【０００２】
【従来の技術】
従来、椅子の背もたれに設けるハンガー装置としては、ハンガー部を背もたれから露出させたものや背もたれに別途取り付けるものが多く、何れの装置も収まりの悪さから椅子としての機能の低下やデザインの悪化を引き起こし、実用的ではなかった。
【０００３】
【考案が解決しようとする課題】
事務所等において、上着などの衣服は名詞入れや財布をポケットに入れっぱなしにしていることが多い為、利便性や安全性を考えると身近な場所に掛けておきたく、自分が座る椅子の背もたれに直に掛けている人を良く見かけるが、そうした場合椅子の背もたれは通常上着の肩の幅より狭く形状も異なる為、椅子の背もたれに掛けられた上着は型崩れしやすい上、上着を椅子の背もたれに掛けたまま人がその椅子に座り背もたれに寄りかかると、上着の襟の部分を背中で押しつぶし襟が変形してしまう。
【０００４】
更に椅子の背もたれに直に掛けられ不安定な状態の上着は、座った人の動きによる椅子の振動や椅子の後ろを通る人の接触により、簡単にずれて裾や袖を椅子の脚に付いたキャスターに踏まれたり、床に落ちてしまったりしまう恐れもあるという問題を有していた。
【０００５】
【課題を解決する為の手段】
上記の問題を解決する為、椅子の背もたれ背面のパネルに左右一対のアームを埋め込み、使用時には椅子の背もたれから手動で引き出し左右に開くことによってハンガーとし、これに上着を状態良く掛けられるようにした。
【０００６】
【考案の実施の形態】
本考案の実施の形態について図面を参照し説明する。
【０００７】
椅子の背もたれの背面パネル（１）には上着を掛ける一対のハンガーアーム（４）が背面パネル表面に出っ張ることなく丁度収まる窪み（２）が左右二つあり、この窪みの最上部であり背面パネル（１）の最上部にあたる位置には、アーム軸（３）が差し込まれる筒状の穴（５）がそれぞれに空いている。
【０００８】
平常時ハンガーアーム（４）は左右一対となって窪み（２）に綺麗に収まっているが、上着を掛ける場合にはアームのつまみ（６）を手前に引っ張ることにより窪み（２）から引き出され、引き出されきった位置からアーム軸（３）を支点としてハンガーアーム（４）を左右に開くことによりハンガーとして使用できる状態となる。
【０００９】
ハンガーアーム（４）は椅子の背もたれ背面のパネルの丸みを帯びた形状に合わせアーム先端に向かって背もたれ側に緩く湾曲している為、ハンガーアーム（４）を左右に開くと通常のハンガー同様上着の形に良く馴染む弓形となる。更にハンガーアーム（４）は左右に開いた場合、上着を掛ける部分が開く支点となるアーム軸（３）より位置が高くなるＬ字型の形状をしている為、ハンガーアーム（４）に掛けられた上着は背もたれに掛けられた状態より高い場所に位置し、上着の裾や袖が床に接触することを防止できる。尚、ハンガーアーム（４）の上面には上着を掛けた場合の摩擦を増すため格子状の網目模様を刻んであり、掛けた上着のズレ防止に効果を表す。
【００１０】
図１０の通りアーム軸（３）の側面左右二箇所には、コの字型に切り込まれた板バネ状のフック（８）が形成され、その先端には長方形ボックス状の突起（７）が設けられている。この突起（７）は図１１の通りハンガーアーム（４）を開く際のアーム軸（３）回転方向にある突起（７）の側面（７−ａ）は突起の中ほどから緩やかな角度で切ってあり、ハンガーアーム（４）を閉じる際の回転方向面（７−ｂ）は突起の下部から急な角度で切ってある。ハンガーアーム（４）が引き出される際の進行方向面（７−ｃ）は上部のみ緩やかな角度で切ってあり、ハンガーアーム（４）を収める際の進行方向面（７−ｄ）は垂直に切ってある。このような突起（７）各面の切り込み具合の違いと下記の筒状の穴（５）に彫られた溝により、ハンガーアーム（４）の動静の如何と動く方向性が確定する。
【００１１】
穴（５）の両側面にはハンガーアーム（４）が引っ張り出された際にアーム軸（３）両側の突起（７）がスライドする溝（９）がハンガーアーム（４）の収まりきった際の突起（７）の位置からハンガーアーム（４）が引き出されきった際の突起（７）の位置まで彫られ、溝（９）の奥には突起（７）が完全にはまり込む深さの溝穴（１０）があいている。尚、溝（９）は突起（７）の高さより突起（７）側面（７−ｃ）上部切り込みの厚み分だけ浅くなっており、この溝（９）の長さ分がハンガーアーム（４）が引き出される際のハンガーアーム（４）がスライドする範囲となる。
【００１２】
溝（９）の手前には溝（９）より更に浅く、ハンガーアーム（４）を開くとき回転する方向に合わせて突起（７）が回転スライドする溝（１１）がハンガーアーム（４）の開ききった位置まで彫られている。ハンガーアーム（４）が開ききった状態で突起（７）が位置する溝（１１）の最上部（最下部）には突起（７）が完全にはまり込む深さの溝穴（１２）が空いており、開ききったハンガーアーム（４）は突起（７）が溝穴（１２）に完全にはまり込むことによりハンガーアーム（４）に加わった軽い力では閉じることなく開ききった状態で固定される。尚、左右のアーム軸（３）が差し込まれる筒状の穴（５）の最上部に設けられた溝穴（１２−Ａ）は椅子の背もたれの背面パネル（１）の上部に貫通するものとするとともに、ハンガーアーム（４）が開ききった状態で最上部の溝穴（１２−Ａ）にはまり込む方の突起（７−Ａ）の高さを最上部の溝穴（１２−Ａ）の深さより高くすることにより、突起（７−Ａ）が最上部の溝穴（１２−Ａ）にはまり込んだ場合、突起（７−Ａ）が背面パネル（１）上部に突き出るようにし、ハンガーアーム（４）を閉じる場合に背面パネル（１）上部に突き出た突起（７−Ａ）を押しながら閉じる構造にすると、ハンガーアーム（４）の開閉におけるアーム軸（３）の動きは更に円滑なものとなる。
【００１３】
ハンガーアーム（４）及びアーム軸（３）は一体形成され、素材は弾力性の高いプラスチックを使用する。尚、突起（７）が先端に付いているフック（８）部分のみ弾力性の更に高い金属を素材とし、アーム軸（３）にリング状に取り付けても良い。椅子の背もたれ背面のパネル（１）の素材はハンガーアーム（４）より若干硬度の高いプラスチックを使用することが望ましい。
【００１４】
【考案の効果】
この背もたれ背面のパネルから手動で引き出され左右に広げられた一対のハンガーアームに掛けられた上着は、ずれることなく通常のハンガーに掛けた場合と同じく安定した状態で椅子の背もたれに沿って掛けられる為、型崩れしたり床に落ちたりする心配もなく身近に保管できる。
【００１５】
尚、このハンガーアームは椅子の背もたれ背面のパネルから引き出され、左右に開かれた際には、ハンガーアームと椅子の背もたれを繋ぐハンガー軸によって支えられ、ハンガーアームが引き出された分だけ椅子の背もたれとの間に隙間ができる為、ハンガーアームに掛けられた衣服の襟はその隙間に納まり、椅子に人が座り背もたれに寄りかかっても襟が押しつぶされ変形する心配もなくなる。
【００１６】
更にこのハンガーアームは衣服を掛けない場合は、椅子の背もたれ背面のパネルに出っ張りなく収納することができるため邪魔にならず、見た目にもすっきりとしてデザイン的に優れている。
【図面の簡単な説明】
【図１】ハンガーアームが左右一対となって椅子の背もたれの背面パネルに埋め込まれた状態の斜視図である。
【図２】ハンガーアームが椅子の背もたれから引き出された状態の斜視図である。
【図３】ハンガーアームが椅子の背もたれから引き出され、左右に開いた状態の斜視図である。
【図４】ハンガーアームが椅子の背もたれから引き出され、左右に開いた状態の正面図である。
【図５】ハンガーアームが椅子の背もたれから引き出され、左右に開いた状態の側面図である。
【図６】図４のＸ−Ｙの断面図である。
【図７】ハンガーアームが収納される窪み上部の斜視図である。
【図８】アーム軸が差し込まれる筒状の穴の拡大図である。
【図９】ハンガーアーム裏面の斜視図である。
【図１０】アーム軸の拡大図である。
【図１１】アーム軸に設けられた突起の拡大図である。
【符号の説明】
１　椅子の背もたれの背面パネル
２　椅子の背もたれに空いたハンガーアーム（４）が収納される窪み
３　アーム軸
４　ハンガーアーム
５　アーム軸（３）が差し込まれる筒状の穴
６　ハンガーアーム（４）のつまみ
７　フック（８）先端に設けられた突起
７−Ａ　筒状の穴（５）際上部に位置する溝穴（１２−Ａ）を背面パネル（１）の上部に貫通させる構造にした場合の、ハンガーアーム（４）を閉じる際、閉じると同時に押す突起（７）
７−ａ　ハンガーアーム（４）を開く際のアーム軸（３）回転方向にある突起（７）の側面
７−ｂ　ハンガーアーム（４）を閉じる際のアーム軸（３）回転方向にある突起（７）の側面
７−ｃ　ハンガーアーム（４）が引き出される際のアーム軸（３）進行方向にある突起（７）の側面
７−ｄ　ハンガーアーム（４）を収める際のアーム軸（３）進行方向にある突起（７）の側面
８　アーム軸（３）左右側面にコの字型に形成されたバネ状のフック
９　ハンガーアーム（４）が引き出される際、突起（７）が通過する溝
１０　ハンガーアーム（４）が収まりきった状態の時、突起（７）が完全にはまり込む溝穴
１１　ハンガーアーム（４）が開く時、突起（７）が通過する溝
１２　ハンガーアーム（４）が開ききった時、突起（７）が完全にはまり込む溝穴
１２−Ａ　ハンガーアーム（４）を閉じる際、突起（７−Ａ）を押しながら閉じる構造にした場合、筒状の穴（５）際上部に設けられ、突起（７−Ａ）がはまり込む溝穴（１２）
【図１】
0003097620.tif 000003
【図２】
0003097620.tif 000004
【図３】
0003097620.tif 000005
【図４】
0003097620.tif 000006
【図５】
0003097620.tif 000007
【図６】
0003097620.tif 000008
【図７】
0003097620.tif 000009
【図８】
0003097620.tif 000010
【図９】
0003097620.tif 000011
【図１０】
0003097620.tif 000012
【図１１】
0003097620.tif 000013